【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
形成する画像の濃度レベルに応じて静電潜像を形成するための光の光量を調整する画像形成装置であって、
入力される電流に対応した光量で光を発光する発光手段と、
受光した光の光量に対応した電流を出力する受光手段と、
前記発光手段によって発光された光の光量が線形に増加し始める電流となる閾値電流を導出するために、前記発光手段及び前記受光手段を用いて、以前に導出された閾値電流よりも大きい第１電流に対応する第１光量と、該第１電流よりも大きい第２電流に対応する第２光量とをサンプリングするサンプリング手段と、
前記第１電流、前記第２電流、前記サンプリングされた第１光量及び第２光量の関係から前記閾値電流を導出する導出手段と、
前記導出された閾値電流の値から予め定められた差分電流の値を引くことにより、前記発光手段のバイアス電流を決定するバイアス電流決定手段と、
最小の濃度レベルに対応する光量で光を発光させる場合に前記バイアス電流を該発光手段に供給し、該最小の濃度レベルを超える濃度レベルに対応する光量で光を発光させる場合に前記閾値電流を超える電流を該発光手段に供給する電流供給手段と
を備えることを特徴とする画像形成装置。
【請求項２】
前記バイアス電流を出力するバイアス電流源と、
前記差分電流を出力する差分電流源と、
前記濃度レベルに対応する光量で光を発光させるための複数の駆動電流源とをさらに備え、
前記電流供給手段は、
前記バイアス電流源と、前記差分電流源及び前記駆動電流源のうち少なくとも１つとを用いて、前記濃度レベルに応じて前記発光手段に供給する電流を調整する調整手段を
備えることを特徴とする請求項１に記載の画像形成装置。
【請求項３】
前記調整手段は、
前記複数の駆動電流源のうち少なくとも１つの駆動電流源から電流を供給させるときは、該差分電流源からも電流を供給させることを特徴とする請求項２に記載の画像形成装置。
【請求項４】
前記導出手段は、
前記第１電流、前記第２電流、前記サンプリングされた第１光量及び第２光量から、前記発光手段に入力する電流と光量との関係を表す線形関数を算出する算出手段と、
前記算出された線形関数において光量がゼロとなる電流を、前記閾値電流として決定する閾値電流決定手段と
を備えることを特徴とする請求項２又は３に記載の画像形成装置。
【請求項５】
前記第１電流の値は、前回決定された閾値電流の値に予め定められた電流の値を加えた値であることを特徴とする請求項２乃至４の何れか１項に記載の画像形成装置。
【請求項６】
各駆動電流源は、前記濃度レベルを示す画像信号の各ビットに対応して電流を供給することを特徴とする請求項２乃至５の何れか１項に記載の画像形成装置。
【請求項７】
形成する画像の濃度レベルに応じて静電潜像を形成するための光の光量を調整する画像形成装置に備えられる走査光学装置であって、
入力される電流に対応した光量で光を発光する発光手段と、
受光した光の光量に対応した電流を出力する受光手段と、
前記発光手段によって発光された光の光量が線形に増加し始める電流となる閾値電流を導出するために、前記発光手段及び前記受光手段を用いて、以前に導出された閾値電流よりも大きい第１電流に対応する第１光量と、該第１電流よりも大きい第２電流に対応する第２光量とをサンプリングするサンプリング手段と、
前記第１電流、前記第２電流、前記サンプリングされた第１光量及び第２光量の関係から前記閾値電流を導出する導出手段と、
前記導出された閾値電流の値から予め定められた差分電流の値を引くことにより、前記発光手段のバイアス電流を決定するバイアス電流決定手段と、
最小の濃度レベルに対応する光量で光を発光させる場合に前記バイアス電流を該発光手段に供給し、該最小の濃度レベルを超える濃度レベルに対応する光量で光を発光させる場合に前記閾値電流を超える電流を該発光手段に供給する電流供給手段と
を備えることを特徴とする走査光学装置。
【請求項８】
入力される電流に対応した光量で光を発光する発光手段と、受光した光の光量に対応した電流を出力する受光手段とを備え、形成する画像の濃度レベルに応じて静電潜像を形成するための光の光量を調整する画像形成装置の制御方法であって、
前記発光手段によって発光された光の光量が線形に増加し始める電流となる閾値電流を導出するために、前記発光手段及び前記受光手段を用いて、以前に導出された閾値電流よりも大きい第１電流に対応する第１光量と、該第１電流よりも大きい第２電流に対応する第２光量とをサンプリングするステップと、
前記第１電流、前記第２電流、前記サンプリングされた第１光量及び第２光量の関係から前記閾値電流を導出するステップと、
前記導出された閾値電流の値から予め定められた差分電流の値を引くことにより、前記発光手段のバイアス電流を決定するステップと、
最小の濃度レベルに対応する光量で光を発光させる場合に前記バイアス電流を該発光手段に供給し、該最小の濃度レベルを超える濃度レベルに対応する光量で光を発光させる場合に前記閾値電流を超える電流を該発光手段に供給するステップと
を含むことを特徴とする画像形成装置の制御方法。
【請求項９】
入力される電流に対応した光量で光を発光する発光手段と、受光した光の光量に対応した電流を出力する受光手段とを備え、形成する画像の濃度レベルに応じて静電潜像を形成するための光の光量を調整する画像形成装置に備えられる走査光学装置の制御方法であって、
前記発光手段によって発光された光の光量が線形に増加し始める電流となる閾値電流を導出するために、前記発光手段及び前記受光手段を用いて、以前に導出された閾値電流よりも大きい第１電流に対応する第１光量と、該第１電流よりも大きい第２電流に対応する第２光量とをサンプリングするステップと、
前記第１電流、前記第２電流、前記サンプリングされた第１光量及び第２光量の関係から前記閾値電流を導出するステップと、
前記導出された閾値電流の値から予め定められた差分電流の値を引くことにより、前記発光手段のバイアス電流を決定するステップと、
最小の濃度レベルに対応する光量で光を発光させる場合に前記バイアス電流を該発光手段に供給し、該最小の濃度レベルを超える濃度レベルに対応する光量で光を発光させる場合に前記閾値電流を超える電流を該発光手段に供給するステップと
を含むことを特徴とする走査光学装置の制御方法。
【手続補正２】
【補正対象書類名】明細書
【補正対象項目名】０００５
【補正方法】変更
【補正の内容】
【０００５】
本発明は、例えば、形成する画像の濃度レベルに応じて静電潜像を形成するための光の光量を調整する画像形成装置として実現できる。画像形成装置は、入力される電流に対応した光量で光を発光する発光手段と、受光した光の光量に対応した電流を出力する受光手段と、発光手段によって発光された光の光量が線形に増加し始める電流となる閾値電流を導出するために、発光手段及び受光手段を用いて、以前に導出された閾値電流よりも大きい第１電流に対応する第１光量と、第１電流よりも大きい第２電流に対応する第２光量とをサンプリングするサンプリング手段と、前記第１電流、前記第２電流、サンプリングされた第１光量及び第２光量の関係から閾値電流を導出する導出手段と、導出された閾値電流の値から予め定められた差分電流の値を引くことにより、発光手段のバイアス電流を決定するバイアス電流決定手段と、最小の濃度レベルに対応する光量で光を発光させる場合にバイアス電流を発光手段に供給し、最小の濃度レベルを超える濃度レベルに対応する光量で光を発光させる場合に閾値電流を超える電流を発光手段に供給する電流供給手段とを備えることを特徴とする。
【手続補正３】
【補正対象書類名】明細書
【補正対象項目名】０００６
【補正方法】変更
【補正の内容】
【０００６】
本発明は、例えば、形成する画像の濃度レベルに応じて静電潜像を形成するための光の光量を調整する画像形成装置に備えられる走査光学装置として実現できる。走査光学装置は、入力される電流に対応した光量で光を発光する発光手段と、受光した光の光量に対応した電流を出力する受光手段と、発光手段によって発光された光の光量が線形に増加し始める電流となる閾値電流を導出するために、発光手段及び受光手段を用いて、以前に導出された閾値電流よりも大きい第１電流に対応する第１光量と、第１電流よりも大きい第２電流に対応する第２光量とをサンプリングするサンプリング手段と、前記第１電流、前記第２電流、サンプリングされた第１光量及び第２光量の関係から閾値電流を導出する導出手段と、導出された閾値電流の値から予め定められた差分電流の値を引くことにより、発光手段のバイアス電流を決定するバイアス電流決定手段と、最小の濃度レベルに対応する光量で光を発光させる場合にバイアス電流を発光手段に供給し、最小の濃度レベルを超える濃度レベルに対応する光量で光を発光させる場合に閾値電流を超える電流を発光手段に供給する電流供給手段とを備えることを特徴とする。
【手続補正４】
【補正対象書類名】明細書
【補正対象項目名】０００７
【補正方法】変更
【補正の内容】
【０００７】
また、本発明は、入力される電流に対応した光量で光を発光する発光手段と、受光した光の光量に対応した電流を出力する受光手段とを備え、形成する画像の濃度レベルに応じて静電潜像を形成するための光の光量を調整する画像形成装置の制御方法として実現できる。制御方法は、発光手段によって発光された光の光量が線形に増加し始める電流となる閾値電流を導出するために、発光手段及び受光手段を用いて、以前に導出された閾値電流よりも大きい第１電流に対応する第１光量と、第１電流よりも大きい第２電流に対応する第２光量とをサンプリングするステップと、前記第１電流、前記第２電流、サンプリングされた第１光量及び第２光量の関係から閾値電流を導出するステップと、導出された閾値電流の値から予め定められた差分電流の値を引くことにより、発光手段のバイアス電流を決定するステップと、最小の濃度レベルに対応する光量で光を発光させる場合にバイアス電流を発光手段に供給し、最小の濃度レベルを超える濃度レベルに対応する光量で光を発光させる場合に閾値電流を超える電流を発光手段に供給するステップとを含むことを特徴とする。
【手続補正５】
【補正対象書類名】明細書
【補正対象項目名】０００８
【補正方法】変更
【補正の内容】
【０００８】
また、本発明は、入力される電流に対応した光量で光を発光する発光手段と、受光した光の光量に対応した電流を出力する受光手段とを備え、形成する画像の濃度レベルに応じて静電潜像を形成するための光の光量を調整する画像形成装置に備えられる走査光学装置の制御方法として実現できる。制御方法は、発光手段によって発光された光の光量が線形に増加し始める電流となる閾値電流を導出するために、発光手段及び受光手段を用いて、以前に導出された閾値電流よりも大きい第１電流に対応する第１光量と、第１電流よりも大きい第２電流に対応する第２光量とをサンプリングするステップと、前記第１電流、前記第２電流、サンプリングされた第１光量及び第２光量の関係から閾値電流を導出するステップと、導出された閾値電流の値から予め定められた差分電流の値を引くことにより、発光手段のバイアス電流を決定するステップと、最小の濃度レベルに対応する光量で光を発光させる場合にバイアス電流を発光手段に供給し、最小の濃度レベルを超える濃度レベルに対応する光量で光を発光させる場合に閾値電流を超える電流を発光手段に供給するステップとを含むことを特徴とする。